(57)【要約】【課題】  記録媒体カートリッジを複数収容したライブラリ装置に設けられ、自動搬送機構によって前記記録媒体カートリッジの挿抜が行われ、挿入された前記記録媒体カートリッジに対する情報の記録／再生を行なうドライブ装置に関し、自動搬送機構の記録媒体カートリッジの挿抜トラブルがなくなるドライブ装置を提供することを課題とする。【解決手段】  記録媒体カートリッジ２３が挿抜される開口が形成された投入間口部に対して位置調整可能に設けられ、開口と対向し、記録媒体カートリッジ２３が挿通する貫通穴３３が形成されたフロントベゼル（ベゼル）３１を有し、記録媒体カートリッジ２３を貫通穴３３へ案内する上部ガイド３５、下部ガイド３７、第１側部ガイド３９、第２側部ガイド４１、自動搬送機構用の位置決め用マーカ４３のうち少なくとも一方はフロントベゼル３１に一体的に形成する。【選択図】          図１
2005108325.tif 000002
【特許請求の範囲】
【請求項１】
記録媒体カートリッジを複数収容したライブラリ装置に設けられ、自動搬送機構によって前記記録媒体カートリッジの挿抜が行われ、挿入された前記記録媒体カートリッジに対する情報の記録／再生を行なうドライブ装置において、
前記記録媒体カートリッジが挿抜される開口が形成された投入間口部に対して位置調整可能に設けられ、前記開口と対向し、前記記録媒体カートリッジが挿通する貫通穴が形成されたベゼルを有し、
前記記録媒体カートリッジを前記貫通穴へ案内するガイド、前記自動搬送機構用の位置決め用マーカのうち少なくとも一方は前記ベゼルに一体的に形成されたことを特徴とするドライブ装置。
【発明の詳細な説明】
【技術分野】
【０００１】
本発明は、一般的に、磁気テープカートリッジ等の記録媒体カートリッジ（以下、「カートリッジ」と略称することがある。）のライブラリ装置に設けられるドライブ装置（記録／再生装置）に関し、更に詳しくは、ドライブ装置に対する記録媒体カートリッジの挿抜が正確に行えるドライブ装置に関する。
【背景技術】
【０００２】
記録媒体カートリッジを複数収容したライブラリ装置に設けられ、自動搬送機構によって前記記録媒体カートリッジの挿抜が行われ、挿入された前記記録媒体カートリッジに対する情報の記録／再生を行なうドライブ装置では、記録媒体カートリッジが挿抜される開口が形成された投入間口部を覆うようにベゼルが設けられる場合がある。このベゼルには、投入間口部の開口と対向し、記録媒体カートリッジが挿通する貫通穴と、記録媒体カートリッジを貫通穴（投入間口部の開口）へ案内するガイドが設けられる。更に、ベゼルには、自動搬送機が、ドライブ装置の投入間口部の開口のＸ位置、Ｙ位置を光学的に認識するためのＸ基準位置、Ｙ基準位置が記載された位置決め用マーカ（基準フラグ）が設けられる（例えば、特許文献１参照）。
【特許文献１】特開平１１−８６３９４号公報（第５頁、図６参照）
【発明の開示】
【発明が解決しようとする課題】
【０００３】
ライブラリ装置に設けられるドライブ装置は、ＯＥＭ(Original Equipment Manufacturing)により供給される場合が多く、メーカ毎に投入間口部の開口の位置や、ベゼルの形状が異なるために、自動搬送機構の精度の高い位置決めが必要となる。
【０００４】
しかし、ガイドや位置決め用マーカはベゼルと別部品であり、ねじ等を用いてガイドや位置決め用マーカはベゼルに取付けられている。このため、ベゼルに対するガイド，位置決め用マーカの取付誤差が発生し、自動搬送機構が行なう位置決めと、実際のドライブ装置のベゼルの貫通穴（投入間口部の開口）、ガイドの位置との間にズレが生じる。よって、自動搬送機構がドライブ装置に対して記録媒体カートリッジを挿抜しようとする際に、うまく記録媒体カートリッジを挿抜できなかったり、又、記録媒体カートリッジを落下させたりする問題点がある。
【０００５】
本発明は、上記問題点に鑑みてなされたもので、その課題は、自動搬送機構の記録媒体カートリッジの挿抜トラブルがなくなるドライブ装置を提供することにある。
【課題を解決するための手段】
【０００６】
上記課題を解決する請求項１に係る発明は、記録媒体カートリッジを複数収容したライブラリ装置に設けられ、自動搬送機構によって前記記録媒体カートリッジの挿抜が行われ、挿入された前記記録媒体カートリッジに対する情報の記録／再生を行なうドライブ装置において、前記記録媒体カートリッジが挿抜される開口が形成された投入間口部に対して位置調整可能に設けられ、前記開口と対向し、前記記録媒体カートリッジが挿通する貫通穴が形成されたベゼルを有し、前記記録媒体カートリッジを前記貫通穴へ案内するガイド、前記自動搬送機構用の位置決め用マーカのうち少なくとも一方は前記ベゼルに一体的に形成されたことを特徴とするドライブ装置である。
【０００７】
ライブラリ装置内に複数収容された記録媒体カートリッジの中で、選択された記録媒体カートリッジを自動搬送機構がピックアップし、ドライブ装置にセットする。この時、自動搬送機構は、ベゼルに設けられた位置決め用マーカを用いて、ドライブ装置の投入間口部の開口の位置決めを行なう。そして、記録媒体カートリッジはベゼルに設けられたガイドに案内されて、ドライブ装置にセットされる。ドライブ装置は、セットされた記録媒体カートリッジをロードし、記録媒体カートリッジに対する情報の記録／再生を行う。情報の記録／再生が終了すると、ドライブ装置は記録媒体カートリッジを排出する。
【０００８】
そして、自動搬送機構が、排出された記録媒体カートリッジをピックアップし、元位置に戻す。この時、自動搬送機構は、ベゼルに設けられた位置決め用マーカを用いて、ドライブ装置の投入間口部の開口の位置決めを行なう。
【０００９】
記録媒体カートリッジとしては、磁気テープカートリッジ、光ディスクカートリッジ等があるが、限定するものではない。
【００１０】
又、ドライブ装置としては、磁気テープカートリッジに対する情報の記録／再生を行なう磁気テープ装置、光ディスクカートリッジに対する情報の記録／再生を行なう光ディスク装置等があるが、限定するものではない。
【発明の効果】
【００１１】
請求項１に係る発明によれば、前記記録媒体カートリッジが挿抜される開口が形成された投入間口部に対して位置調整可能に設けられ、前記開口と対向し、前記記録媒体カートリッジが挿通する貫通穴が形成されたベゼルを有し、前記記録媒体カートリッジを前記貫通穴へ案内するガイド、前記自動搬送機構用の位置決め用マーカのうち少なくとも一方は前記ベゼルに一体的に形成した。
【００１２】
ガイドとベゼルとを一体的に形成した場合は、ガイド、ベゼル間の取付け誤差による位置ズレがなくなる。従って、ベゼルをドライブ装置の投入間口部に対して正確に設けることで、ガイドは確実に記録媒体カートリッジを投入間口部の開口へ案内し、自動搬送機構の記録媒体カートリッジの挿抜トラブルがなくなる。
【００１３】
位置決め用マーカとベゼルとを一体的に形成した場合は、位置決め用マーカ、ベゼル間の取付け誤差による位置誤差がなくなる。従って、ベゼルをドライブ装置の投入間口部に対して正確に設けることで、自動搬送機構は確実に記録媒体カートリッジの挿抜を行え、自動搬送機構の記録媒体カートリッジの挿抜トラブルがなくなる。
【００１４】
ガイド、位置決め用マーカとベゼルとを一体的に形成した場合は、ガイド、位置決め用マーカ、ベゼル間の取付誤差による位置誤差がなくなる。従って、ベゼルをドライブ装置の投入間口部に対して正確に設けることで、ガイドは確実に記録媒体カートリッジを投入間口部の開口へ案内すると共に、自動搬送機構は確実に記録媒体カートリッジの挿抜を行え、自動搬送機構の記録媒体カートリッジの挿抜トラブルがなくなる。
【発明を実施するための最良の形態】
【００１５】
以下、図面を用いて本発明を実施するための最良の形態を説明する。本形態例のドライブ装置が設けられるライブラリ装置の外観の一例を図４に示した。このライブラリ装置１は、記録媒体カートリッジを収納する媒体収納棚と記録媒体カートリッジの記録／再生を行うドライブ装置（記録再生装置）とを内部に有している。また、外部から、媒体投入装置２を装填できるようになっている。このライブラリ装置１では、操作パネル３でもって、たとえば、ライブラリ装置１内の媒体収納棚や媒体投入装置２内の媒体収納棚の特定のセルに収納されている媒体を取り出して、記録再生装置にて記録／再生を行うことができる。また、特定の媒体を媒体投入装置２内に排出することができる。
【００１６】
ライブラリ装置１の内部には、図５に示すように、ドライブ装置１１および媒体収納棚１２が、媒体投入装置２とともに、Ｕ字状に配置されている。そして、このＵ字状配列の内側に自動搬送機構（アクセッサ）１３が設置されている。ドライブ装置１１，媒体収納棚１２および媒体投入装置２は、上下方向にも配設されており、これらにアクセスできるように、自動搬送機構１３は、図５の左右方向（Ｘ方向）に移動したり、水平面内で回転（Ｒ方向に回転）したりできるだけでなく、図示しないガイドに案内されて昇降できるように構成されている。なお、レール１５は、自動搬送機構１３のＸ方向の移動を確保するためのものである。
【００１７】
ライブラリ装置１では、小型化の要求から、内部に多くの媒体収納棚１２を備えることが求められており、図６に示すように、ドライブ装置１１の下部空間にも、媒体収納棚１２が配置されている。媒体投入装置２についても、複数の媒体を収納できる媒体収納棚が、小型化の要求を満たすように設けられている。
【００１８】
次に、図１、図２を用いて、ドライブ装置の説明を行う。図１は形態例のドライブ装置の斜視図、図２は図１のフロントベゼルの拡大図、図３は図１のフロントベゼルの取付方法を説明する図である。
【００１９】
図１、図３に示すように、ドライブ装置１１の本体２１の前面は、記録媒体カートリッジ２３が挿抜される開口２５が形成された投入間口部２７となっている。
【００２０】
この投入間口部２７を覆うように、フロントベゼル３１が設けられる。フロントベゼル３１は、図２に示すように、ドライブ装置１１の本体の２１の投入間口部２７の開口２５と対向し、記録媒体カートリッジ２３が挿通する貫通穴３３が形成されている。この貫通穴３３の上部には、記録媒体カートリッジ２３の上面が当接可能で、記録媒体カートリッジ２３を貫通穴３３に案内する上部ガイド３５がフロントベゼル３１と一体的に形成されている。貫通穴３３の下部には、記録媒体カートリッジ２３の下面が当接可能で、記録媒体カートリッジ２３を貫通穴３３に案内する２つの下部ガイド３７がフロントベゼル３１と一体的に形成されている。貫通穴３３の一方の側部には、記録媒体カートリッジ２３の一方の側部が当接可能で、記録媒体カートリッジ２３を貫通穴３３に案内する第１側部ガイド３９がフロントベゼル３１と一体的に形成されている。貫通穴３３の他方の側部には、記録媒体カートリッジ２３の他方の側部が当接可能で、記録媒体カートリッジ２３を貫通穴３３に案内する第２側部ガイド４１がフロントベゼル３１と一体的に形成されている。
【００２１】
更に、貫通穴３３の下部には、自動搬送機構１３が、ドライブ装置１１の投入間口部２７の開口２５のＸ方向の位置、Ｙ方向の位置（Ｘ方向、Ｙ方向に関しては図６参照）を光学的に認識するためのＸ基準位置、Ｙ基準位置が記載された位置決め用マーカ４３がフロントベゼル３１と一体的に形成されている。
【００２２】
図３に示すように、フロントベゼル３１の四隅には、貫通した穴５１、穴５３、穴５５、穴５７が形成されている。一方、ドライブ装置１１の投入間口部２７には、フロントベゼル３１の穴５１、穴５３、穴５５、穴５７と対向するめねじ穴６１、めねじ穴６３、めねじ穴６５、めねじ穴６７が形成されている。そして、フロントベゼル３１の穴５１、穴５３、穴５５、穴５７を挿通し、ドライブ装置１１の投入間口部２７のめねじ穴６１、めねじ穴６３、めねじ穴６５、めねじ穴６７に螺合するねじ７１、ねじ７３、ねじ７５、ねじ７７を用いて、フロントベゼル３１は、ドライブ装置１１の本体２１に取付けられている。尚、本形態例では、フロントベゼル３１の穴５１、穴５３、穴５５、穴５７の径は、ドライブ装置１１の投入間口部２７のめねじ穴６１、めねじ穴６３、めねじ穴６５、めねじ穴６７の谷の径より大きく設定されている。又、ねじ７１、ねじ７３、ねじ７５、ねじ７７の頭部の径は穴５１、穴５３、穴５５、穴５７より大きく、首部の径は穴５１、穴５３、穴５５、穴５７より小さく設定されている。従って、フロントベゼル３１の本体２１の投入間口部２７に対する取付位置の調整が可能となっている。
【００２３】
次に、図３を用いてフロントベゼル３１の取付け方法を説明する。図に示すように、フロントベゼル３１の貫通穴３３を挿通し、本体の投入間口部２７の開口２５に係合する治具８０を用いる。この治具８０は、フロントベゼル３１の貫通穴３３を挿通し、本体の投入間口部２７の開口２５に係合可能な係合部８１と、位置決め用マーカ４３の上部端面４３ａが当接することにより位置決め用マーカ４３のＸ方向の位置決めを行なう第１マーカ位置決め部８３と、位置決め用マーカ４３の一方の側部端面４３ｂが当接することにより位置決め用マーカ４３のＹ方向の位置決めを行なう第２マーカ位置決め部８５とを有している。
【００２４】
このような治具８０を用いて、ドライブ装置１１の投入間口部２７に対するフロントベゼル３１の正確な位置決めを行ない、ねじ７１、ねじ７３、ねじ７５、ねじ７７を用いて、フロントベゼル３１を取り付ける。
【００２５】
このような構成によれば、以下のような効果を得ることができる。
（１）上部ガイド３５、下部ガイド３７、第１側部ガイド３９、第２側部ガイド４１と、フロントベゼル３１とを一体的に形成したことにより、上部ガイド３５、下部ガイド３７、第１側部ガイド３９、第２側部ガイド４１と、フロントベゼル３１との間の取付け誤差による位置ズレがなくなる。従って、治具８０を用いてフロントベゼル３１をドライブ装置１１の投入間口部２７に対して正確に設けることで、上部ガイド３５、下部ガイド３７、第１側部ガイド３９、第２側部ガイド４１は確実に記録媒体カートリッジ２３を投入間口部２７の開口２５へ案内し、自動搬送機構１３の記録媒体カートリッジ２３の挿抜トラブルがなくなる。
（２）位置決め用マーカ４３とフロントベゼル３１とを一体的に形成したことにより、位置決め用マーカ４３、フロントベゼル３１間の取付け誤差による位置誤差がなくなる。従って、治具８０を用いてフロントベゼル３１をドライブ装置１１の投入間口部２７に対して正確に設けることで、自動搬送機構１３は確実に記録媒体カートリッジ２３の挿抜を行え、自動搬送機構１３の記録媒体カートリッジ２３の挿抜トラブルがなくなる。
【００２６】
尚、本発明は、上記形態例に限定するものではない。上記形態例では、上部ガイド３５、下部ガイド３７、第１側部ガイド３９、第２側部ガイド４１と、位置決め用マーカ４３とをフロントベゼル３１に一体的に形成したが、上部ガイド３５、下部ガイド３７、第１側部ガイド３９、第２側部ガイド４１のみをフロントベゼル３１に一体的に形成してもよい。この場合、上部ガイド３５、下部ガイド３７、第１側部ガイド３９、第２側部ガイド４１と、フロントベゼル３１との間の取付け誤差による位置ズレがなくなる。従って、治具８０を用いてフロントベゼル３１をドライブ装置１１の投入間口部２７に対して正確に設けることで、上部ガイド３５、下部ガイド３７、第１側部ガイド３９、第２側部ガイド４１は確実に記録媒体カートリッジ２３を投入間口部２７の開口２５へ案内し、自動搬送機構１３の記録媒体カートリッジ２３の挿抜トラブルがなくなる。
【００２７】
又、位置決め用マーカ４３のみをフロントベゼル３１に一体的に形成してもよい。この場合、位置決め用マーカ４３、フロントベゼル３１間の取付け誤差による位置誤差がなくなる。従って、治具８０を用いてフロントベゼル３１をドライブ装置１１の投入間口部２７に対して正確に設けることで、自動搬送機構１３は確実に記録媒体カートリッジ２３の挿抜を行え、自動搬送機構１３の記録媒体カートリッジ２３の挿抜トラブルがなくなる。
【図面の簡単な説明】
【００２８】
【図１】形態例のドライブ装置の斜視図である。
【図２】図１のフロントベゼルの拡大図である。
【図３】図１のフロントベゼルの取付方法を説明する図である。
【図４】形態例のドライブ装置が設けられたライブラリ装置の外観図である。
【図５】図４のライブラリ装置内の平面的配置を示す概念図である。
【図６】図４に示したライブラリ装置内の一部を示す図である。
【符号の説明】
【００２９】
１１  ドライブ装置
２１  本体
２３  記録媒体カートリッジ
３１  フロントベゼル
３３  貫通穴
３５  上部ガイド
３７  下部ガイド
３９  第１側部ガイド
４１  第２側部ガイド
４３  位置決め用マーカ
【図１】
2005108325.tif 000003
【図２】
2005108325.tif 000004
【図３】
2005108325.tif 000005
【図４】
2005108325.tif 000006
【図５】
2005108325.tif 000007
【図６】
2005108325.tif 000008